(57)【要約】【課題】従来の雑巾以外の方法で、もっと簡単に物干竿のホコリを拭き取る竿拭き用掃除具の開発するもので、物干竿を拭いた後の処理が簡単で汚れても片手で簡単に洗え、視覚的に見ても楽しめるような夢のある商品の図案化を考え、且低価格での竿拭き用掃除具を提供することにある。【解決手段】適度な硬質と弾力性及び吸水性を有するスポンジ基体の正面略中央に中空部を貫通して設け、該中空部の貫通切断面内径を竿接触部とし、該竿接触部より切り込み線を入れて竿導入口を設け、竿との摩擦抵抗を小さくする構造とし、竿軸方向に対して垂直方向面がスポンジ基体の正面及び背面とする立方体で形成し、正面及び背面を図案化して外観形状を表現するのを特徴とした竿拭き用掃除具とする。【選択図】      図１
2006068469.tif 000002
【特許請求の範囲】
【請求項１】
適度な硬質と弾力及び吸水性を有する基体の正面略中央に中空部を設け、該中空部の切断面内径を竿接触部とし、該竿接触部より外側方向へ竿導入口を設けるのを特徴とした竿拭き用掃除具。
【請求項２】
基体の形状は、竿軸の水平方向に対して垂直面を基体の正面及び背面とし、図案化を容易にするのを特徴とした請求項１に記載の竿拭き用掃除具。
【請求項３】
基体の厚みとする側面を３〜５ｃｍ程度の寸法幅とし、基体と竿との摩擦抵抗を小さくして竿面移行をより容易にする構造であるのを特徴とした請求項１、請求項２に記載の竿拭き用掃除具。
【請求項４】
竿接触部の切断面に竿の軸と平行方向に鋸刃状溝又は波型状溝等の溝を形成して設けるのを特徴とした請求項１、請求項２及び請求項３に記載の竿拭き用掃除具。
【請求項５】
貫通切断面内径の竿接触部分にスポンジ基体の素材と異なる不織布接触部を添着して二層に構成するのを特徴とした請求項１、請求項２及び請求項３に記載の竿拭き用掃除具。
【請求項６】
基体に設ける中空部とする寸法径は竿より＋２ミリ程度の僅かに大きめの寸法径を最良とし、基体は竿に嵌合して保持されるのを特徴とした請求項１〜請求項５に記載の竿拭き用掃除具。
【発明の詳細な説明】
【技術分野】
【０００１】  本発明は、竿に付いたホコリを拭き取るための竿拭き用掃除具に関する。
【背景技術】
【０００２】  従来、洗濯物を物干竿に直に干す場合、竿に付いたホコリが洗濯物に付かないように、竿のホコリをまず雑巾等で拭き取り洗濯物を干すのが普通であるが、雑巾を洗って、絞って、竿を拭いて、又洗って、絞ってそして雑巾を干すなど面倒な手間が掛る。【０００３】  本発明に類似する従来の竿拭き用掃除具に、保水性を有したスポンジを略Ｕ字型、略Ｃ字型及び円筒型に成型し、内面の竿嵌合部にて清掃する物干竿清掃具（特許文献１参照）がある。【０００４】
【特許文献１】特開２０００−２２５２９２号公報
【０００５】  以下、従来の特許文献１の物干竿清掃具、特開２０００−２２５２９２号公報について図１１、図１２に従い説明する。【０００６】  図１１は従来の物干竿清掃具の使用状態を示した斜視図である。【０００７】  図１２は従来の物干竿清掃具の形状を示すもので、（イ）は略Ｕ字型、（ロ）は略Ｃ字型、（ハ）は円筒型としている。
【発明の開示】
【発明が解決しようとする課題】
【０００８】  雑巾以外の方法で、特開２０００−２２５２９２号公報によれば適度な弾力と保水性を有したスポンジを物干竿へ嵌合させ着脱が簡単で清掃が容易に行え、清掃具自体が汚れた場合に洗浄や濯ぎおよび絞りが片手で簡単にできる物干し竿清掃具としてあるが、しかし以下に記述の通り問題点もかなり残っている。【０００９】  特開２０００−２２５２９２号公報の問題点１は、図１１の斜視図で示す通りＵ字型スポンジ１の開口部より竿嵌合部３に物干竿４を嵌合させ、スポンジ１の上面に手を掛け図中矢印のように動かしながら清掃するものとしているが、このＵ字型スポンジ１では物干竿４との接触部分が竿の軸方向に平行して必要以上に長く、そのためスポンジ１の竿嵌合部３は物干竿４に対して抵抗が大きくなり、滑りが悪く図中矢印のようには容易に移動する事はできないという欠点がある。【００１０】  又図１２で示す、（イ）は略Ｕ字型、（ロ）は略Ｃ字型、（ハ）円筒型の形状の場合でも、元来スポンジ等の素材は滑り止め的性質があるにも係わらず、これらの形状では上述に指摘したように抵抗が大となる欠点をすべて有するもので、それらを考慮した構造及び形状とは思えない。【００１１】  問題点２は、図１２で示す、（イ）は略Ｕ字型、（ロ）は略Ｃ字型の形状の場合、開口部を意識した必然的図形から発想する略Ｕ字型、略Ｃ字型の形状であって且限定されている。又、成型上に於いても本発明が意図する開口部の位置付け等の考え方でも異なるものであり、構造や形状的にも生産性、コスト面等に於いて商業ペースで不利となる欠点が多々推察される。【００１２】  問題点３は、限定された形状である以上視覚的に見て楽しめるような夢のある商品の要素に欠けていることである。即ち商品の購買欲を誘う形状となっていない。外観的にも楽しく美しい商品の図案化を考え、商品として付加価値の高いものでなければならない。【００１３】  本発明は、上記の問題点を解決し竿に付いたホコリを簡単に拭き取るための竿拭き用掃除具を提供することにある。
【課題を解決するための手段】
【００１４】  本発明の竿拭き用具は適度な硬質と弾力性及び吸水性を有するスポンジ基体の正面略中央に中空部を貫通して設け、該中空部の貫通切断面内径を竿接触部とし、該竿接触部より外側方向へ切り込み線を入れて竿導入口を設ける請求項１の竿拭き用掃除具とする。【００１５】  本発明の竿拭き用掃除具はスポンジ基体の正面略中央に中空部を貫通して設ける構造を基本とするもので外観形状を特定するものでなく、形状を表現するために竿接触部の軸方向をスポンジ基体の厚み即ち側面とし、竿接触部の軸方向に対して垂直方向面をスポンジ基体の正面及び背面とする立方体で形成し、正面及び背面を図案化して外観形状を表現するのを特徴とした請求項２に記載の竿拭き用掃除具とする。【００１６】  本発明の竿拭き用掃除具は、スポンジ基体の正面中央に中空部を貫通して設ける構造を基本とするもので外観形状を特定するものではない。【００１７】  然るにスポンジ基体の厚みを側面として、正面及び背面を図案化して外観形状を表現するのを特徴とした請求項２に記載の竿拭き用掃除具とするものである。【００１８】  スポンジ基体の厚みとする側面を３〜５ｃｍ程度の寸法幅とし、竿接触部の表面積を小さくして、スポンジ基体と竿との摩擦抵抗を小さくして竿面移行をより容易にする構造であるのを特徴とした請求項３に記載の竿拭き用掃除具とする。【００１９】  竿接触部の切断面に竿の軸と平行方向に鋸刃状溝又は波型状溝等の溝を形成して設けるのを特徴とした請求項４に記載の竿拭き用掃除具とする。【００２０】  貫通切断面内径の竿接触部４部分にスポンジ基体２３の素材と異なる不織布層９を貼り付け、二層に構成するのを特徴とした請求項５に記載の竿拭き用掃除具１３として完成させる。【００２１】  スポンジ基体に設ける中空部の寸法径は竿と同一の寸法径、或るいは＋２ミリ程度余裕を持たせて中空部と竿を嵌合させるもので、結果スポンジ基体は竿に保持される構造とするのを特徴とした請求項６に記載の竿拭き用掃除具とする。
【発明の効果】
【００２２】  雑巾を洗ったり濯いだり絞ったりの手間が省け、竿拭き後竿拭き用掃除具はそのまま竿に取り付け状態に置くので紛失することがなく、汚れたら片手でじゃぶじゃぶと２〜３回水洗いすれば簡単に汚れを洗い出して汚れ落ちが良く楽である。【００２３】  竿と竿接触部との間に若干の隙間を作ることで、握力加減で微妙に強く絞めたり緩めたりと調整しながら、物干竿の長手方向に沿って容易に竿のホコリを拭き取る事ができる。【００２４】  中空部を貫通して設ける構造を基本とし、且切り込み線を入れるだけで竿導入口を簡単に設けられるのでＵ字型、Ｃ字型に拘ることなく、いろいろな楽しいデザインの商品を提供できる。【００２５】  竿接触部に鋸刃状溝或いは波型状溝を、竿軸に対して平行方向に設けるため移行させるのに容易で使い勝手の良い竿拭き用掃除具となった。【００２６】  中空部の貫通切断面内径部の竿接触部を二層構造として目的に応じた素材を採用することで、さらに滑りの良い竿拭き用掃除具を提供することができる。
【発明を実施するための最良の形態】
【実施例１】
【００２７】  本発明の実施の形態を図面に従い以下説明する。【００２８】  図１は、本発明の実施例１とする基本形状の竿拭き用掃除具１１を竿６に嵌合し、竿拭き用掃除具１１の使用状態を示す斜視図である。【００２９】  図１の斜視図で示す本発明の竿拭き用具１１の使用方法は、竿拭き用具１１に適度な水分を含ませ、竿６に嵌合させ上面より片手で握り込み握力を加減しながら竿軸に対して平行方向に移行させて竿のホコリを拭き取るものである。【００３０】  図２は、本発明の実施例１とする基本形状の竿拭き用掃除具１１の（イ）正面図、（ロ）側面図（ハ）底面図である。【００３１】  本発明の実施例１とする竿拭き用具１１は素材を適度な硬質と弾力性及び吸水性を有するスポンジを採用したスポンジ基体２１であり、該スポンジ基体２１の正面略中央に中空部３を貫通して設け、中空部３の貫通切断面内径を竿接触部４とし、竿接触部４より外側方向へ切り込み線を入れて竿導入口５を設ける竿拭き用掃除具１１とする。【００３２】  図１及び図２で示す本発明の実施例１とする竿拭き用掃除具１１は、スポンジ基体２１の正面形状を略四角型としているが、本発明はスポンジ基体２１の正面略中央に中空部３を貫通して設ける構造を基本とするものであり、図１、図２、図６、図８、及び図９で示す略四角型は本発明を説明するための基本形状としているもので、本発明の竿拭き用掃除具１１は外観形状を特定するものではない。【００３３】  然るに竿接触部４の竿軸方向がスポンジ基体２１の厚みとなり側面とするもので、竿接触部４又は竿６の軸方向に対して垂直方向の面をスポンジ基体１の正面及び背面とする立方体で形成し、正面及び背面を図案化して外観形状を表現するのを特徴とした請求項２に記載の竿拭き用掃除具１１とするものである。【００３４】  竿接触部４より外側方向へ設ける導入口５の切り込み線の大きさは、切り刃の厚みで形成する切断直線面でも良し、１〜５ミリの間隔で開口状に直線的又は曲線的に形成するか、或いは図案化によるデザインから生れる変形線で導入口５を形成するなどその形状に拘るものではない。然るに竿６に中空部３を挿入嵌合させる結果スポンジ基体２１は竿６に保持される構造とするのを特徴とした竿拭き用掃除具１１として完成する。【００３５】  図３、図４、図５は本発明の竿拭き用掃除具１１を楽しい商品として提供する為のデザイン例を示すものである。【００３６】  図３では、スポンジ基体２１の正面を図案化し背面は正面と同じとする例を示しているもので（イ）は略四角型、（ロ）略菱型、（ハ）略楕円型、そして（二）は円型、等で表現し、導入口５の切り込み線の形状は切り刃の厚みで形成する切断直線面で形成しているものであるが、スポンジ基体２１の正面略中央に中空部３を貫通して設ける構造を基本とするものであることには間違いない。【００３７】  図４は、本発明のスポンジ基体２１の正面を（ホ）ハート型、（ヘ）花型に図案化した一例を示すもので、背面は正面と同じとすることは図３の例と同じものだが、図３が定型的図案であるのに比べ図４では外観形状を少し温かみを出して表現しようとしたものである。この図４の図案に於いてもスポンジ基体２１の正面略中央に必ず中空部３を貫通して��ける構造を基本としているものである。【００３８】  図５は、本発明のスポンジ基体２１の正面を動物等で図案化して表現した一例を示すものである。（ト）は鳥型、そして動物の顔部をアレンジした（チ）犬型、（リ）猫型、その他にも豚などその動物の特徴さえ表現できればいろいろとパターンが考えられ、又、造形表現として指先を丸める手を図案化した（ヌ）手型、等も考えられいろいろ楽しめる商品が提供できる。【００３９】  この場合の導入口５の切り込みは切り刃の厚みで形成する切断直線面で形成してもよいが、１〜５ミリの間隔幅で開口状に直線的に形成する導入口５としても良いし、図案に応じて開口状に曲線的に形成することもできる。ここでは正面と背面は対になる図案も想定される。又この図５に於いてもスポンジ基体２の正面略中央に中空部３を貫通して設ける構造を基本としていることには間違いない。
【実施例２】
【００４０】  図６は、本発明の実施例２とする竿拭き用掃除具１２に於けるスポンジ基体２２の（イ）は正面図、（ロ）は側面図、（ハ）は底面図である。又図７は図６（イ）正面図で示すＡ−Ｂ断面斜視図である。【００４１】  図６〜図８で示す本発明の実施例２では、スポンジ基体２２と竿６との摩擦抵抗を小さくして竿の滑りを容易にする解決策の一例を示すもので、切断面内径部の接触面形状に特徴を持つ請求項４に記載の竿拭き用掃除具１２とするものである。【００４２】  切断面内径部の接触面形状例として、例えば中空部３の貫通切断面である竿接触部４の切断面内径部に図６（イ）の正面図、（ロ）の断面図で示す通り竿の軸と平行方向に鋸刃状溝７、（図中の鋸刃数は無視）或いは図８の（イ）正面図で示す波型状溝８の形状を有する構造とした竿拭き用掃除具１２とするものである。【００４３】  この鋸刃状溝７或いは波型状溝８を竿軸と平行方向に有して設けるため、竿接触部４の接触面抵抗が小さくなり、元来スポンジ等が有する平行方向に圧縮抵抗が生じる滑り止め的性質を解消することができる。然るに竿拭き用掃除具１２に適度な水分を含ませ、片手で握り込み握力を加減しながら竿軸に対して平行方向に移行させる場合に於いて感触的に誘導効果もあり使い勝手の良い竿拭き用掃除具１２とすることができる。【００４４】  鋸刃状溝７或いは波型状溝８の溝の数は特に限定するものではなく、大きさ、深さ形状等も自由である。
【実施例３】
【００４５】  図９は、本発明の実施例３とする竿拭き用掃除具１３に於けるスポンジ基体２３の（イ）は正面図、（ロ）は側面図、（ハ）は底面図である。又図１０は図９（イ）正面図で示すＣ−Ｄ断面斜視図である。【００４６】  図９、図１０で示す本発明の実施例３では、スポンジ基体２３の竿面移行をより容易にする為、実施例２で示す鋸刃状溝７或いは波型状溝８と異なる構造とする解決方法の一例として示す竿拭き用掃除具１３とするものである。【００４７】  即ち、スポンジ基体２３の正面略中央に中空部３を貫通して設け、中空部３の貫通切断面内径部の竿接触部分を二層構造として設ける竿拭き用掃除具１とするものである。【００４８】  竿接触部分にスポンジ基体２３の素材と異なる網目状布帯等の不織布接触部９を添着状に内設して、該不織布接触部９を竿接触面とした二層構造を特徴とした請求項５に記載の竿拭き用掃除具１３とするものである。【００４９】  スポンジ基体２１，２２，２３に設ける中空部３の寸法径は竿６と同一の寸法径、或るいは＋２ミリ程度の僅かな大きめを最良とし、中空部３と竿６を嵌合させても竿６と竿接触部４との間に若干の隙間を作ることで、竿６を強く絞めたり緩めたりと調整しながら握力加減で微妙に移行を容易にすると共にスポンジ基体２１，２２，２３は竿６に嵌合して保持されるのを特徴とした請求項６に記載の竿拭き用掃除具１１，１２，１３とするものである。【００５０】  本発明の実施例１、実施例２、実施例３に記述するスポンジ基体の素材はスポンジを採用して説明しているが、本発明の素材は適度な弾力と保水性の素材であればスポンジに限定するものではない。
【図面の簡単な説明】
【図１】  本発明の実施例１とする使用状態を示す斜視図である。
【図２】  本発明の実施例１とする（イ）は正面図（ロ）は側面図及び（ハ）は底面図である。
【図３】  本発明の実施例１とするデザイン例を示す（イ）（ロ）（ハ）（二）は正面図である。
【図４】  本発明の実施例１とするデザイン例を示す（ホ）（ヘ）は正面図である。
【図５】  本発明の実施例１とするデザイン例を示す（ト）（チ）（リ）（ヌ）は正面図である。
【図６】  本発明の実施例２とする（イ）は正面図（ロ）は側面図及び（ハ）は底面図である。
【図７】  本発明の実施例２とする図６の（イ）正面図で示すＡ−Ｂ側断面斜視図である。
【図８】  本発明の実施例２とする（イ）は正面図（ロ）は側面図及び（ハ）は底面図である。
【図９】  本発明の実施例３とする（イ）は正面図（ロ）は側面図及び（ハ）は底面図である。
【図１０】  本発明の実施例３とする図１０の（イ）正面図で示すＣ−Ｄ側断面斜視図である。
【図１１】  参照図面
【図１２】  参照図面
【符号の説明】
１１、１２、１３    竿拭き用具
２１、２２、２３    スポンジ基体
３                  中空部
４                  竿接触部
５                  竿導入口
６                  竿
７                  鋸刃状溝
８                  波型状溝
９                  不織布接触部
【図１】
2006068469.tif 000003
【図２】
2006068469.tif 000004
【図３】
2006068469.tif 000005
【図４】
2006068469.tif 000006
【図５】
2006068469.tif 000007
【図６】
2006068469.tif 000008
【図７】
2006068469.tif 000009
【図８】
2006068469.tif 000010
【図９】
2006068469.tif 000011
【図１０】
2006068469.tif 000012
【図１１】
2006068469.tif 000013
【図１２】
2006068469.tif 000014